(57)【要約】【課題】  移動機の通信に必要な定期的な情報の送受信を削減して移動機の電力の消費を低減する。【解決手段】  移動機１０は、移動体通信網３０において移動体通信を行い、移動体通信網３０から、自機に係るデータの中継を行う中継ノードを通知すると共に当該中継ノードの有効期間を示す情報を含むメッセージを受信するメッセージ受信部１１と、ベアラを確立して、受信されたメッセージに含まれる情報に基づきデータの送受信を行う通信部１２と、メッセージの送信中止を要求すると共に有効期間の経過以降にベアラの解放を禁止する移動機側制御部１３とを備え、有効期間の経過以降に自機からの送信データがある場合に、メッセージ受信部１１は、ベアラを介してメッセージの送信を要求し、有効期間の経過以降に自機への送信データがある場合に、メッセージ受信部１１は、ベアラを介してメッセージを受信する。【選択図】  図１
2020136797.tif 000002
【特許請求の範囲】
【請求項１】
移動体通信網において移動体通信を行う移動機であって、
移動体通信網から、自機に係るデータの中継を行う中継ノードを通知すると共に当該中継ノードの有効期間を示す情報を含むメッセージを受信するメッセージ受信部と、
移動体通信網におけるベアラを確立して、前記メッセージ受信部によって受信されたメッセージに含まれる情報に基づき移動体通信網を介したデータの送受信を行う通信部と、
移動体通信網に対してメッセージの送信中止を要求すると共に前記有効期間の経過以降にベアラの解放を禁止する移動機側制御部と、を備え、
前記有効期間の経過以降に自機から移動体通信網を介した送信データがある場合に、前記メッセージ受信部は、前記有効期間の経過以降に自機から移動体通信網への送信データがあることを検出して、前記通信部によって確立されたベアラを介して移動体通信網にメッセージの送信を要求して、当該要求に応じて移動体通信網からメッセージを受信し、
前記有効期間の経過以降に移動体通信網を介した自機への送信データがある場合に、前記メッセージ受信部は、前記通信部によって確立されたベアラを介して移動体通信網からメッセージを受信し、
前記通信部は、前記メッセージ受信部によって受信されたメッセージに含まれる情報に基づいて、送信データの送受信を行う、移動機。
【請求項２】
前記移動機側制御部は、前記通信部による通信状況に応じて、移動体通信網に対してメッセージの送信中止を要求する請求項１に記載の移動機。
【請求項３】
移動体通信網に含まれると共にデータの中継を行う中継ノードであって、
移動機に、当該移動機に係るデータの中継を行う中継ノードとして自ノードを通知すると共に当該中継ノードの有効期間を示す情報を含むメッセージを送信するメッセージ送信部と、
前記メッセージ送信部によってメッセージを送信する移動機に係る移動体通信網におけるベアラを確立してデータの中継を行う中継部と、
前記メッセージ送信部によってメッセージを送信する移動機から移動体通信網に対するメッセージの送信中止の要求を受け付けて、当該移動機へのメッセージの送信を中止させると共に前記有効期間の経過以降にベアラの解放を禁止する中継ノード側制御部と、を備え、
前記有効期間の経過以降に移動機から移動体通信網を介した送信データがある場合に、前記メッセージ送信部は、前記中継部によって確立されたベアラを介して移動機からのメッセージの送信の要求を受け付けて、移動機にメッセージを送信し、
前記有効期間の経過以降に移動体通信網を介した移動機への送信データがある場合に、前記メッセージ送信部は、前記中継部によって確立されたベアラを介して移動機にメッセージを送信し、
前記中継部は、前記メッセージ送信部によるメッセージの送信に応じて送信データの中継を行う、中継ノード。
【請求項４】
移動体通信網において移動体通信を行う移動機の動作方法である通信制御方法であって、
移動体通信網から、自機に係るデータの中継を行う中継ノードを通知すると共に当該中継ノードの有効期間を示す情報を含むメッセージを受信するメッセージ受信ステップと、
移動体通信網におけるベアラを確立して、前記メッセージ受信ステップにおいて受信されたメッセージに含まれる情報に基づき移動体通信網を介したデータの送受信を行う通信ステップと、
移動体通信網に対してメッセージの送信中止を要求すると共に前記有効期間の経過以降にベアラの解放を禁止する移動機側制御ステップと、を含み、
前記有効期間の経過以降に自機から移動体通信網を介した送信データがある場合に、前記メッセージ受信ステップにおいて、前記有効期間の経過以降に自機から移動体通信網への送信データがあることを検出して、前記通信ステップにおいて確立されたベアラを介して移動体通信網にメッセージの送信を要求して、当該要求に応じて移動体通信網からメッセージを受信し、
前記有効期間の経過以降に移動体通信網を介した自機への送信データがある場合に、前記メッセージ受信ステップにおいて、前記通信ステップにおいて確立されたベアラを介して移動体通信網からメッセージを受信し、
前記通信ステップにおいて、前記メッセージ受信ステップにおいて受信されたメッセージに含まれる情報に基づいて、送信データの送受信を行う、通信制御方法。
【請求項５】
移動体通信網に含まれると共にデータの中継を行う中継ノードの動作方法である通信制御方法であって、
移動機に、当該移動機に係るデータの中継を行う中継ノードとして自ノードを通知すると共に当該中継ノードの有効期間を示す情報を含むメッセージを送信するメッセージ送信ステップと、
前記メッセージ送信ステップにおいてメッセージを送信する移動機に係る移動体通信網におけるベアラを確立してデータの中継を行う中継ステップと、
前記メッセージ送信ステップにおいてメッセージを送信する移動機から移動体通信網に対するメッセージの送信中止の要求を受け付けて、当該移動機へのメッセージの送信を中止させると共に前記有効期間の経過以降にベアラの解放を禁止する中継ノード側制御ステップと、
前記有効期間の経過以降に移動機から移動体通信網を介した送信データがある場合に、前記メッセージ送信ステップにおいて、前記中継ステップにおいて確立されたベアラを介して移動機からのメッセージの送信の要求を受け付けて、移動機にメッセージを送信し、
前記有効期間の経過以降に移動体通信網を介した移動機への送信データがある場合に、前記メッセージ送信ステップにおいて、前記中継ステップにおいて確立されたベアラを介して移動機にメッセージを送信し、
前記中継ステップにおいて、前記メッセージ送信ステップにおけるメッセージの送信に応じて送信データの中継を行う、通信制御方法。
【発明の詳細な説明】
【技術分野】
【０００１】
本発明は、移動体通信網において移動体通信を行う移動機、及び移動体通信網に含まれると共にデータの中継を行う中継ノード、並びにそれらの動作方法である通信制御方法に関する。
【背景技術】
【０００２】
移動機が移動体通信網における通信に用いるＩＰｖ６プレフィックス及びデフォルトルータに係る情報は、ＰＤＮ（Packet  Data  Network）接続時にＰ−ＧＷ（PDN  Gateway）からＩＣＭＰｖ６  ＲＡ（Router  Advertisement）メッセージで移動機に通知される。ＲＡメッセージでは、デフォルトルータ等の有効期間が設定されている。この有効期間内にＰ−ＧＷが新しいＲＡメッセージを移動機に送信することで、移動機が常に有効な情報を保持する仕組みとなっている。これによって、移動機が継続的に通信を行うことができる。ＲＡメッセージの送信は、通常定期的に行われる。ＲＡメッセージの定期送信間隔は、ＥＰＣ（Evolved  Packet  Core）では、４．５時間〜６時間の時間間隔とすることが定められている（非特許文献１参照）。
【先行技術文献】
【非特許文献】
【０００３】
【非特許文献１】ＴＳ２９．０６１
【発明の概要】
【発明が解決しようとする課題】
【０００４】
スマートフォンのような常時通信を行う端末であれば、上記の間隔でのＲＡメッセージの送信は問題とならない。スマートフォンのような端末が用いられる一方で、無線技術の進化に伴う端末の低消費電力化により、近年、移動体通信機能を有すると共に電池を電源とするＩｏＴ（Internet  of  Things）機器が増加している。ＩｏＴ機器は電池交換無しで数年〜１０年程度稼働することが求められているケースもあり、高頻度で充電することが可能な端末では特に問題になりえなかった制御信号による定期通信についても削減が必要となっている。定期的な通信を最小化することで低電力化を図っているＩｏＴ機器では、ＲＡメッセージの定期送信による無線接続の確立及び解放に伴う電力消費が電池寿命を延ばす上でのネックとなると想定される。
【０００５】
本発明は、上記に鑑みてなされたものであり、移動機の通信に必要な定期的な情報の送受信を削減して移動機の電力の消費を低減することができる移動機、中継ノード及び通信制御方法を提供することを目的とする。
【課題を解決するための手段】
【０００６】
上記の目的を達成するために、本発明に係る移動機は、移動体通信網において移動体通信を行う移動機であって、移動体通信網から、自機に係るデータの中継を行う中継ノードを通知すると共に当該中継ノードの有効期間を示す情報を含むメッセージを受信するメッセージ受信部と、移動体通信網におけるベアラを確立して、メッセージ受信部によって受信されたメッセージに含まれる情報に基づき移動体通信網を介したデータの送受信を行う通信部と、移動体通信網に対してメッセージの送信中止を要求すると共に有効期間の経過以降にベアラの解放を禁止する移動機側制御部と、を備え、有効期間の経過以降に自機から移動体通信網を介した送信データがある場合に、メッセージ受信部は、有効期間の経過以降に自機から移動体通信網への送信データがあることを検出して、通信部によって確立されたベアラを介して移動体通信網にメッセージの送信を要求して、当該要求に応じて移動体通信網からメッセージを受信し、有効期間の経過以降に移動体通信網を介した自機への送信データがある場合に、メッセージ受信部は、通信部によって確立されたベアラを介して移動体通信網からメッセージを受信し、通信部は、メッセージ受信部によって受信されたメッセージに含まれる情報に基づいて、送信データの送受信を行う。
【０００７】
上記の目的を達成するために、本発明に係る中継ノードは、移動体通信網に含まれると共にデータの中継を行う中継ノードであって、移動機に、当該移動機に係るデータの中継を行う中継ノードとして自ノードを通知すると共に当該中継ノードの有効期間を示す情報を含むメッセージを送信するメッセージ送信部と、メッセージ送信部によってメッセージを送信する移動機に係る移動体通信網におけるベアラを確立してデータの中継を行う中継部と、メッセージ送信部によってメッセージを送信する移動機から移動体通信網に対するメッセージの送信中止の要求を受け付けて、当該移動機へのメッセージの送信を中止させると共に有効期間の経過以降にベアラの解放を禁止する中継ノード側制御部と、を備え、有効期間の経過以降に移動機から移動体通信網を介した送信データがある場合に、メッセージ送信部は、中継部によって確立されたベアラを介して移動機からのメッセージの送信の要求を受け付けて、移動機にメッセージを送信し、有効期間の経過以降に移動体通信網を介した移動機への送信データがある場合に、メッセージ送信部は、中継部によって確立されたベアラを介して移動機にメッセージを送信し、中継部は、メッセージ送信部によるメッセージの送信に応じて送信データの中継を行う。
【０００８】
本発明に係る移動機及び中継ノードによれば、定期的なメッセージの送受信を行うことなく移動機に係る通信を行うことができる。また、メッセージ自体を従来から変えることなく（例えば、ＲＡメッセージに設定されるデフォルトルータの有効期間の枠組みを変えることなく）上記を実現することができる。従って、本発明に係る移動機及び中継ノードによれば、移動機の通信に必要な定期的な情報の送受信を削減して移動機の電力の消費を低減することができる。
【０００９】
ところで、本発明は、上記のように移動機及び中継ノードの発明として記述できる他に、以下のようにそれらの動作方法である通信制御方法の発明としても記述することができる。これはカテゴリが異なるだけで、実質的に同一の発明であり、同様の作用及び効果を奏する。
【００１０】
即ち、本発明に係る通信制御方法は、移動体通信網において移動体通信を行う移動機の動作方法である通信制御方法であって、移動体通信網から、自機に係るデータの中継を行う中継ノードを通知すると共に当該中継ノードの有効期間を示す情報を含むメッセージを受信するメッセージ受信ステップと、移動体通信網におけるベアラを確立して、メッセージ受信ステップにおいて受信されたメッセージに含まれる情報に基づき移動体通信網を介したデータの送受信を行う通信ステップと、移動体通信網に対してメッセージの送信中止を要求すると共に有効期間の経過以降にベアラの解放を禁止する移動機側制御ステップと、を含み、有効期間の経過以降に自機から移動体通信網を介した送信データがある場合に、メッセージ受信ステップにおいて、有効期間の経過以降に自機から移動体通信網への送信データがあることを検出して、通信ステップにおいて確立されたベアラを介して移動体通信網にメッセージの送信を要求して、当該要求に応じて移動体通信網からメッセージを受信し、有効期間の経過以降に移動体通信網を介した自機への送信データがある場合に、メッセージ受信ステップにおいて、通信ステップにおいて確立されたベアラを介して移動体通信網からメッセージを受信し、通信ステップにおいて、メッセージ受信ステップにおいて受信されたメッセージに含まれる情報に基づいて、送信データの送受信を行う。
【００１１】
また、本発明に係る通信制御方法は、移動体通信網に含まれると共にデータの中継を行う中継ノードの動作方法である通信制御方法であって、移動機に、当該移動機に係るデータの中継を行う中継ノードとして自ノードを通知すると共に当該中継ノードの有効期間を示す情報を含むメッセージを送信するメッセージ送信ステップと、メッセージ送信ステップにおいてメッセージを送信する移動機に係る移動体通信網におけるベアラを確立してデータの中継を行う中継ステップと、メッセージ送信ステップにおいてメッセージを送信する移動機から移動体通信網に対するメッセージの送信中止の要求を受け付けて、当該移動機へのメッセージの送信を中止させると共に有効期間の経過以降にベアラの解放を禁止する中継ノード側制御ステップと、有効期間の経過以降に移動機から移動体通信網を介した送信データがある場合に、メッセージ送信ステップにおいて、中継ステップにおいて確立されたベアラを介して移動機からのメッセージの送信の要求を受け付けて、移動機にメッセージを送信し、有効期間の経過以降に移動体通信網を介した移動機への送信データがある場合に、メッセージ送信ステップにおいて、中継ステップにおいて確立されたベアラを介して移動機にメッセージを送信し、中継ステップにおいて、メッセージ送信ステップにおけるメッセージの送信に応じて送信データの中継を行う。
【発明の効果】
【００１２】
本発明によれば、定期的なメッセージの送受信を行うことなく移動機に係る通信を行うことができる。また、メッセージ自体を従来から変えることなく上記を実現することができる。従って、本発明によれば、移動機の通信に必要な定期的な情報の送受信を削減して移動機の電力の消費を低減することができる。
【図面の簡単な説明】
【００１３】
【図１】本発明の実施形態に係る移動機、及び本発明の実施形態に係る中継ノードであるＰ−ＧＷの構成を示す図である。
【図２】本発明の実施形態に係る移動機、及び本発明の実施形態に係る中継ノードであるＰ−ＧＷで実行される、ＰＤＮ接続が行われる際の処理を示すシーケンス図である。
【図３】本発明の実施形態に係る移動機、及び本発明の実施形態に係る中継ノードであるＰ−ＧＷで実行される、ＰＤＮ接続が行われてから時間が経過した際の処理を示すシーケンス図である。
【図４】本発明の実施形態に係る移動機、及び本発明の実施形態に係る中継ノードであるＰ−ＧＷで実行される、移動機からＰＤＮにデータが送信される際の処理を示すシーケンス図である。
【図５】本発明の実施形態に係る移動機、及び本発明の実施形態に係る中継ノードであるＰ−ＧＷで実行される、ＰＤＮから移動機にデータが送信される際の処理を示すシーケンス図である。
【図６】本発明の実施形態に係る移動機、及び本発明の実施形態に係る中継ノードであるＰ−ＧＷのハードウェア構成を示す図である。
【発明を実施するための形態】
【００１４】
以下、図面と共に本発明に係る移動機、中継ノード及び通信制御方法の実施形態について詳細に説明する。なお、図面の説明においては同一要素には同一符号を付し、重複する説明を省略する。
【００１５】
本実施形態では、移動体通信（携帯電話）の規格として４Ｇ  ＬＴＥ（Long  Term  Evolution）を例として説明する。図１に本実施形態に係る移動機（ＵＥ：User   Equipment）１０、及び本実施形態に係る中継ノードであるＰ−ＧＷ２０を示す。移動機１０は、移動体通信網３０において移動体通信を行う装置である。移動機１０は、例えば、様々な装置等に取り付け又は組み込まれると共にＩｏＴに用いられるＩｏＴ機器である。移動機１０は、電池によって動作する。上述したようにＩｏＴ機器は、電池交換無しで数年〜１０年程度稼働することが求められており、通信による電力消費の削減が求められる。なお、移動機１０は、ＩｏＴ機器以外の装置であってもよい。移動機１０は、後述する本実施形態に係る機能以外にも、通常移動機が備える機能を備えていてもよい。
【００１６】
Ｐ−ＧＷ２０は、移動体通信網３０に含まれる、具体的には、移動体通信網３０のコアネットワークの構成要素であると共に移動機１０に係るデータの中継を行う中継ノードであるパケット交換機である。Ｐ−ＧＷ２０は、移動体通信網３０におけるＰＤＮ４０との接続点である。また、Ｐ−ＧＷは、後述するＳ−ＧＷへのパケット転送を行う。即ち、Ｐ−ＧＷ２０は、移動機１０とＰＤＮ４０との間のデータの中継を行う。ＰＤＮ４０は、接続先ネットワークであり、例えば、インターネットである。また、Ｐ−ＧＷ２０は、ＩＰアドレスの割り当てを行い、ＰＣＲＦ（Policy  and  Charging  Rules  Function）と連携してＱｏＳ（Quality  of  Service）制御、ベアラ設定制御等を行う。Ｐ−ＧＷ２０は、後述する本実施形態に係る機能以外にも、通常移動機が備える機能を備えていてもよい。
【００１７】
移動体通信網３０は、移動機１０に移動体通信機能を提供する通信網である。移動体通信網３０は、Ｐ−ＧＷ２０以外にも構成要素を有しており、これらの構成要素が動作することで移動機１０に移動体通信機能を提供する。例えば、移動体通信網３０は、これらの構成要素として、ｅＮｏｄｅＢ、ＭＭＥ（Mobility  Management  Entity）、Ｓ−ＧＷ（Serving  Gateway）、ＰＣＲＦ等のノードを備えている。
【００１８】
ｅＮｏｄｅＢは、移動体通信網３０における基地局である。ＭＭＥは、ｅＮｏｄｅＢを収容し、モビリティ制御、ベアラ制御機能等を提供する交換機である。Ｓ−ＧＷは、ｅＮｏｄｅＢを収容する在圏パケット交換機である。ＰＣＲＦは、ユーザデータ転送のＱｏＳ及び課金のための制御を行う論理ノードである。また、移動体通信網３０は、これ以外の構成要素を備えていてもよい。
【００１９】
引き続いて、本実施形態に係る移動機１０及びＰ−ＧＷ２０の機能を説明する。図１に示すように本実施形態に係る移動機１０は、メッセージ受信部１１と、通信部１２と、移動機側制御部１３とを備えて構成される。
【００２０】
メッセージ受信部１１は、移動体通信網３０から、自機に係るデータの中継を行う中継ノードを通知すると共に当該中継ノードの有効期間を示す情報を含むメッセージを受信する機能部である。当該メッセージは、具体的には、ＲＡメッセージである。ＲＡメッセージによって通知される中継ノードは、ＰＤＮ４０のデフォルトルータであるＰ−ＧＷ２０である。ＲＡメッセージは、例えば、移動機１０が、ＰＤＮ４０との間でデータを送受信するための接続であるＰＤＮ接続を行う際（セッション確立時、ＩＰアドレスアサイン時）にＰ−ＧＷ２０から送信される。
【００２１】
ＰＤＮ接続は、例えば、移動機１０が移動体通信網３０に対して位置登録（アタッチ）を行う際に行われる。ＰＤＮ接続を行う際には、移動機１０は、移動体通信網３０に対して、予め記憶した接続先のＰＤＮを示す情報であるＡＰＮ（Access  Point  Name）を含めたＰＤＮ接続要求を移動体通信網に送信する。移動機１０から移動体通信網に送信されたＰＤＮ接続要求は、ｅＮｏｄｅＢ、ＭＭＥ及びＳ−ＧＷを経由してＰ−ＧＷ２０に送信される。移動機１０から送信されるＰＤＮ接続要求は、具体的にはＥＳＭ＿ＰＤＮ  Ｃｏｎｎｅｃｔｉｖｉｔｙ  Ｒｅｑｕｅｓｔである。ＭＭＥは、ＥＳＭ＿ＰＤＮ  Ｃｏｎｎｅｃｔｉｖｉｔｙ  Ｒｅｑｕｅｓｔを受信する。ＭＭＥは、ＥＳＭ＿ＰＤＮ  Ｃｏｎｎｅｃｔｉｖｉｔｙ  Ｒｅｑｕｅｓｔを受信すると、移動体通信網３０内におけるＰＤＮ接続要求であるＧＴＰｖ２＿Ｃｒｅａｔｅ  Ｓｅｓｓｉｏｎ  ＲｅｑｕｅｓｔをＳ−ＧＷを介してＰ−ＧＷ２０に送信する。Ｐ−ＧＷ２０は、当該信号を受信するとＰＤＮ接続要求応答を送信すると共にＲＡメッセージを移動機１０に送信する。移動機１０がＰＤＮ接続要求応答を受信するとＰＤＮ接続が確立される。
【００２２】
Ｐ−ＧＷ２０から移動機１０宛に送信されたＲＡメッセージは、Ｓ−ＧＷ、ｅＮｏｄｅＢを介して移動機１０に送信される。メッセージ受信部１１は、受信したＲＡメッセージを通信部１２に出力する。
【００２３】
メッセージ受信部１１は、ＲＡメッセージの送信をＰ−ＧＷ２０に要求することもできる。メッセージ受信部１１は、当該要求としてＲＳ（Router  Solicitation）メッセージをＰ−ＧＷ２０に送信する。
【００２４】
通信部１２は、移動体通信網３０におけるベアラを確立して、メッセージ受信部１１によって受信されたＲＡメッセージに含まれる情報に基づき移動体通信網３０を介したデータの送受信を行う機能部である。通信部１２は、メッセージ受信部１１からＲＡメッセージを入力する。
【００２５】
ＲＡメッセージには、ＰＤＮ４０のデフォルトルータであるＰ−ＧＷ２０を示す情報が含まれる。通信部１２は、Ｐ−ＧＷ２０をデフォルトルータとして通信（ＰＤＮ４０との間でのデータの送受信）を行う。また、ＲＡメッセージには、プレフィックス（ＩＰｖ６Ｐｒｅｆｉｘ）が含まれる。通信部１２は、（移動機１０）自身でＩｎｔｅｒｆａｃｅ  ＩＤを生成し、ＲＡメッセージに含まれるプレフィックスと生成したＩｎｔｅｒｆａｃｅ  ＩＤとによってＩＰｖ６アドレスを生成する。通信部１２は、生成したＩＰｖ６アドレスを用いて通信を行う。通信部１２は、Ｐ−ＧＷ２０（ＲＡメッセージの送信元）をデフォルトルータとみなす有効期間（Ｒｏｕｔｅｒ  Ｌｉｆｅｔｉｍｅ）、及び生成したＩＰｖ６アドレスの有効期間（Ｐｒｅｆｅｒｒｅｄ  Ｌｉｆｅｔｉｍｅ／Ｖａｌｉｄ  Ｌｉｆｅｔｉｍｅ）を管理する。有効期間が切れると、デフォルトルータ又はＩＰｖ６アドレスを用いることができず、通信部１２は通信を行うことができない。
【００２６】
ＲＡメッセージには、当該有効期間に係る情報として、Ｒｏｕｔｅｒ  Ｌｉｆｅｔｉｍｅ、Ｐｒｅｆｅｒｒｅｄ  Ｌｉｆｅｔｉｍｅ及びＶａｌｉｄ  Ｌｉｆｅｔｉｍｅを含む。Ｒｏｕｔｅｒ  Ｌｉｆｅｔｉｍｅは、移動機１０がＲＡメッセージによって確定したデフォルトルータの有効期間である。ＲＦＣ４８６１では、Ｒｏｕｔｅｒ  Ｌｉｆｅｔｉｍｅの設定可能な最大値は、６５，５３５秒である。
【００２７】
Ｐｒｅｆｅｒｒｅｄ  Ｌｉｆｅｔｉｍｅは、ＲＡメッセージによって通知されたプレフィックスを移動機１０が通信時のＩＰｖ６アドレスのソースアドレスとして許可する時間である。推奨する有効期間を過ぎても新たなＲＡメッセージを受信しないと、移動機１０は、該当するプレフィックス以外のアドレスを通信時のソースアドレスとして使用することを試行する。但し、移動機１０は、他に適切なプレフィックスを持たない場合には、推奨する有効期間を過ぎたプレフィックスを通信に使用する。
【００２８】
Ｖａｌｉｄ  Ｌｉｆｅｔｉｍｅは、ＲＡメッセージによって通知されたプレフィックスが消滅するまでの時間である。有効期間を過ぎても新たなＲＡメッセージを受信しないと、移動機１０は、該当するプレフィックスのアドレスを削除する。ＲＦＣ４８６１では、Ｐｒｅｆｅｒｒｅｄ  Ｌｉｆｅｔｉｍｅ及びＶａｌｉｄ  Ｌｉｆｅｔｉｍｅの設定可能な最大値は、無限大（Ｉｎｆｉｎｉｔｙ）である。上記の通り、ＩＰｖ６アドレス（プレフィックス）に係る有効期間は規格上無限大が設定可能であるので、ＩＰｖ６アドレスの点では、移動機１０は一旦ＲＡメッセージを受信したら、新たなＲＡメッセージを受信しなくても通信を行うことができる。
【００２９】
一方で、デフォルトルータの有効期間は規格上上限があるので、デフォルトルータの点では、移動機１０は有効期間を過ぎると通信を行うことができなくなる。そのため、従来の移動機は、デフォルトルータの有効期限が切れる前に新たなＲＡメッセージを受信していた。例えば、非特許文献１によれば、Ｐ−ＧＷは、４．５時間〜６時間間隔でＲＡメッセージを定期送信することが定められている。即ち、従来の移動機は、定期的にＲＡメッセージを受信していた。本実施形態では、ＲＡメッセージは、規格で認められているものが用いられる。従って、デフォルトルータの有効期間は上限がある。本実施形態では、移動機１０の通信に必要な定期的なＲＡメッセージの送受信を削減して移動機１０の電力の消費を低減するものである。
【００３０】
通信部１２は、上記のようにＰＤＮ接続（セッション）を確立して通信を行う。ＰＤＮ接続には、移動機１０とＰ−ＧＷ２０との間のベアラが含まれる。通信部１２は、ＰＤＮ４０に送信するデータ（上りユーザデータ）が発生すると当該データを、確立されているＰＤＮ接続を介してＰＤＮ４０に送信する。通信部１２は、ＰＤＮ４０からデータ（下りユーザデータ）が移動機に送信されると当該データを、確立されているＰＤＮ接続を介して受信する。通信部１２とＰＤＮ４０との間のユーザデータの送受信は、移動体通信網３０におけるｅＮｏｄｅＢ、Ｓ−ＧＷ及びＰ−ＧＷ２０を介して行われる。
【００３１】
デフォルトルータの有効期間を過ぎると移動機１０は、ＰＤＮ４０との間のデータの送受信を行うことができなくなるが、ＰＤＮ接続（ベアラ）を解放せずに維持しておく、即ち、ＰＤＮ接続（ベアラ）に係る情報を記憶しておくことで当該ＰＤＮ接続を介してＰ−ＧＷ２０との間で信号の送受信を行うことができる。
【００３２】
移動機側制御部１３は、移動体通信網３０に対してＲＡメッセージの送信中止を要求すると共にデフォルトルータの有効期間の経過以降にベアラの解放を禁止する機能部である。例えば、移動機側制御部１３は、移動機１０から移動体通信網３０に送信されるＰＤＮ接続要求に、ＲＡメッセージの送信中止を要求するＲＡ削減要求を含める。具体的には、移動機側制御部１３は、ＥＳＭ＿ＰＤＮ  Ｃｏｎｎｅｃｔｉｖｉｔｙ  ＲｅｑｕｅｓｔのＰＣＯ（Protocol  Configuration  Options）又はｅＰＣＯにＲＡ削減要求を含める。ＰＣＯは、移動機１０とＰ−ＧＷ２０との経路上のＭＭＥ、Ｓ−ＧＷでは透過転送される。当該要求に基づいてＲＡメッセージがＰ−ＧＷ２０から送信されず移動機１０によって受信されないと、デフォルトルータの有効期間の経過以降は、移動機１０はＰＤＮ４０との間でデータの送受信を行えなくなる。なお、ＲＡ削減要求は、ＰＤＮ接続要求時以外の予め設定されたタイミングで送信されてもよい。
【００３３】
移動機側制御部１３は、移動体通信網３０に対してＲＡメッセージの送信中止を要求すると、メッセージ受信部１１に対してＲＳメッセージの送信を中止させる。ＲＳメッセージが送信されないため、ＲＳメッセージの送信に応じたＰ−ＧＷ２０から移動機１０へのＲＡメッセージの送信も行われない。
【００３４】
移動機側制御部１３は、移動体通信網３０に対してＲＡメッセージの送信中止を要求すると、通信部１２に対してデフォルトルータの有効期間の経過以降にＰＤＮ接続の解放を禁止する。当該解放の禁止の制御によって、移動機１０はＰ−ＧＷ２０との間で信号の送受信を行うことができる。デフォルトルータの有効期間の経過後、以下の通り移動機１０では、次回通信契機のＲＡ更新待ちモードに遷移する。
【００３５】
デフォルトルータの有効期間の経過以降に（即ち、次回通信契機のＲＡ更新待ちモードにおいて）移動機１０から移動体通信網３０を介したＰＤＮ４０への送信データ（上りユーザデータ）がある場合（上り通信契機の場合）、以下のように当該送信データを送信する。移動機１０において上りユーザデータが発生すると、メッセージ受信部１１は、上りユーザデータの発生を検出して、通信部１２によって維持されているＰＤＮ接続を介して移動体通信網３０にＲＡメッセージの送信を要求する。即ち、メッセージ受信部１１は、ＰＤＮ接続を介してＲＳメッセージをＰ−ＧＷ２０に送信する。なお、この時点で移動機１０と移動体通信網３０との間の無線接続も切断されているのでＲＳメッセージの送信の前に、移動機１０は移動体通信網３０との間で無線接続の確立、具体的には、ｅＮｏｄｅＢ、ＭＭＥ及びＳ−ＧＷとの間でＵＥ起動Ｓｅｒｖｉｃｅ  Ｒｅｑｕｅｓｔの処理を行う。また、通信部１２は、上位レイヤから受信した上りユーザデータをバッファリングしておく。
【００３６】
メッセージ受信部１１は、ＲＳメッセージの送信に応じてＰ−ＧＷ２０から送信されたＲＡメッセージを受信する。メッセージ受信部１１は、受信したＲＡメッセージを通信部１２に出力する。通信部１２は、メッセージ受信部１１によって受信されたＲＡメッセージに含まれる情報に基づいて上りユーザデータの送信を行う。即ち、通信部１２は、当該ＲＡメッセージによってデフォルトルータの有効期間を更新することでＰＤＮ４０へのデータの送信を可能にして、バッファリングした上りユーザデータをＰＤＮ４０に送信する。なお、新たなＲＡメッセージを受信した際には、当該ＲＡメッセージに基づくＩＰｖ６アドレスの生成及びＩＰｖ６アドレスに係る有効期間の管理等も行われてもよい（以下についても同様）。
【００３７】
デフォルトルータの有効期間の経過以降に（即ち、次回通信契機のＲＡ更新待ちモードにおいて）ＰＤＮ４０から移動体通信網３０を介した移動機１０への送信データ（下りユーザデータ）がある場合（下り通信契機の場合）、以下のように当該送信データを受信する。この場合、後述するようにＰ−ＧＷ２０からＲＡメッセージが送信される。この時点で移動機１０と移動体通信網３０との間の無線接続も切断されているのでＲＡメッセージの送信の前に、移動機１０は移動体通信網３０との間で無線接続の確立、具体的には、ｅＮｏｄｅＢ、ＭＭＥ及びＳ−ＧＷとの間でＮＷ起動Ｓｅｒｖｉｃｅ  Ｒｅｑｕｅｓｔの処理を行う。メッセージ受信部１１は、Ｐ−ＧＷ２０から送信されたＲＡメッセージを受信する。メッセージ受信部１１は、受信したＲＡメッセージを通信部１２に出力する。通信部１２は、メッセージ受信部１１によって受信されたＲＡメッセージに含まれる情報に基づいて下りユーザデータの受信を行う。即ち、通信部１２は、当該ＲＡメッセージによってデフォルトルータの有効期間を更新することでＰＤＮ４０からのデータの受信を可能にして、Ｐ−ＧＷ２０から送信される下りユーザデータを受信する。
【００３８】
また、上記の通り、デフォルトルータの有効期限が更新されると、通信部１２は、ＰＤＮ４０への送信データ（上りユーザデータ）（例えば、アプリレイヤのＡｃｋ）を送信することができる。以上が、本実施形態に係る移動機１０の機能である。
【００３９】
図１に示すように本実施形態に係るＰ−ＧＷ２０は、メッセージ送信部２１と、中継部２２と、中継ノード側制御部２３とを備えて構成される。
【００４０】
メッセージ送信部２１は、移動機１０に、当該移動機１０に係るデフォルトルータとして自ノード２０を通知すると共に当該デフォルトルータの有効期間を示す情報を含むＲＡメッセージを送信する機能部である。例えば、メッセージ送信部２１は、移動機１０のＰＤＮ接続時にＲＡメッセージを送信する。具体的には、移動機１０のＰＤＮ接続時、Ｐ−ＧＷ２０は、移動機１０からのＰＤＮ接続要求（Ｓ−ＧＷからのＧＴＰｖ２＿Ｃｒｅａｔｅ  Ｓｅｓｓｉｏｎ  Ｒｅｑｕｅｓｔ）を受信する。Ｐ−ＧＷ２０は、ＰＤＮ接続要求に対するＰＤＮ接続要求応答を移動機１０に送信する。Ｐ−ＧＷ２０から送信されたＰＤＮ接続要求応答は、Ｓ−ＧＷ、ＭＭＥ及びｅＮｏｄｅＢを経由して移動機１０に送信される。Ｐ−ＧＷ２０から送信されるＰＤＮ接続要求応答は、具体的にはＧＴＰｖ２＿Ｃｒｅａｔｅ  Ｓｅｓｓｉｏｎ  Ｒｅｓｐｏｎｓｅである。ＭＭＥは、Ｓ−ＧＷを介してＧＴＰｖ２＿Ｃｒｅａｔｅ  Ｓｅｓｓｉｏｎ  Ｒｅｓｐｏｎｓｅを受信する。ＭＭＥは、ＧＴＰｖ２＿Ｃｒｅａｔｅ  Ｓｅｓｓｉｏｎ  Ｒｅｓｐｏｎｓｅを受信すると、移動機１０に対するＰＤＮ接続要求応答であるＥＳＭ＿Ａｃｔｉｖａｔｅ  Ｄｅｆａｕｌｔ  ＥＰＳ  Ｂｅａｒｅｒ  Ｃｏｎｔｅｘｔ  Ｒｅｑｕｅｓｔを移動機１０に送信する。移動機１０がＰＤＮ接続要求応答を受信するとＰＤＮ接続が確立される。ＥＳＭ＿Ａｃｔｉｖａｔｅ  Ｄｅｆａｕｌｔ  ＥＰＳ  Ｂｅａｒｅｒ  Ｃｏｎｔｅｘｔ  Ｒｅｑｕｅｓｔを受信した移動機１０は、それに対する応答であるＥＳＭ＿Ａｃｔｉｖａｔｅ  Ｄｅｆａｕｌｔ  ＥＰＣ  Ｂｅａｒｅｒ  Ｃｏｎｔｅｘｔ  ＡｃｃｅｐｔをＭＭＥに送信する。Ｐ−ＧＷ２０では、ＰＤＮ接続要求応答を送信すると、メッセージ送信部２１がＲＡメッセージを移動機１０に送信する。
【００４１】
後述するようにメッセージ送信部２１は、中継ノード側制御部２３からＲＡメッセージの送信禁止の制御を受ける。メッセージ送信部２１は、当該制御を受けていない場合には、移動機１０におけるデフォルトルータの有効期間が経過しないように定期的にＲＡメッセージを送信してもよい。
【００４２】
中継部２２は、メッセージ送信部２１によってＲＡメッセージを送信する移動機１０に係る移動体通信網３０におけるベアラを確立してデータの中継を行う機能部である。中継部２２は、上記のように移動機１０に係るＰＤＮ接続（セッション）を確立してＰＤＮ接続を介して移動機１０とＰＤＮ４０との間のデータの中継を行う。
【００４３】
中継部２２は、移動機１０からＰＤＮ接続を介してＰＤＮ４０宛のデータ（上りユーザデータ）を受信してＰＤＮ４０に送信する。中継部２２は、ＰＤＮ４０から移動機１０宛のデータ（下りユーザデータ）を受信してＰＤＮ接続を介して移動機１０に送信する。
【００４４】
移動機１０に送信したＲＡメッセージで示されるデフォルトルータの有効期間を過ぎると中継部２２は、移動機１０との間のデータの送受信を行うことができなくなるが、ＰＤＮ接続（ベアラ）を解放せずに維持しておく、即ち、ＰＤＮ接続（ベアラ）に係る情報を記憶しておくことで当該ＰＤＮ接続を介して移動機１０との間で信号の送受信を行うことができる。
【００４５】
中継ノード側制御部２３は、メッセージ送信部２１によってＲＡメッセージを送信する移動機１０から移動体通信網３０に対するＲＡメッセージの送信中止の要求を受け付けて、当該移動機１０へのＲＡメッセージの送信を中止させると共にデフォルトルータの有効期間の経過以降にベアラの解放を禁止する機能部である。上述したようにＲＡメッセージの送信中止の要求は、例えば、移動機１０からＰ−ＧＷ２０に送信されるＰＤＮ接続要求にＲＡ削減要求が含められることで行われる。中継ノード側制御部２３は、中継部２２によって、ＲＡ削減要求を含むＰＤＮ接続要求が受信されると、移動機１０からＲＡメッセージの送信中止の要求を受け付ける。当該要求を受けて中継ノード側制御部２３は、メッセージ送信部２１に対して、当該移動機１０へのＲＡメッセージの定期的な送信を中止させる。但し、ＰＤＮ接続時、即ち、最初のＲＡメッセージの送信は中止させない。当該要求に基づいてＲＡメッセージがＰ−ＧＷ２０から送信されず移動機１０によって受信されないと、デフォルトルータの有効期間の経過以降は、Ｐ−ＧＷ２０は、移動機１０とＰＤＮ４０との間のデータの中継を行えなくなる。
【００４６】
中継ノード側制御部２３は、当該移動機１０についてのＲＡメッセージの最終送信時刻及びデフォルトルータの有効期間、即ち、デフォルトルータの有効期限満了予定時刻を保持しておく。中継ノード側制御部２３は、当該移動機１０について、中継部２２に対してデフォルトルータの有効期間（満了予定時刻）の経過以降にＰＤＮ接続の解放を禁止する。当該解放の禁止の制御によって、Ｐ−ＧＷ２０は移動機１０との間で信号の送受信を行うことができる。デフォルトルータの有効期間の経過後、以下の通りＰ−ＧＷ２０では、次回通信契機のＲＡ更新待ちモードに遷移する。
【００４７】
中継ノード側制御部２３は、上記の制御を行っている際に後述するように新たにメッセージ送信部２１からＲＡメッセージを送信した場合には、保持している当該移動機１０についてのＲＡメッセージの最終送信時刻及びデフォルトルータの有効期間を更新する。
【００４８】
デフォルトルータの有効期間の経過以降に（即ち、次回通信契機のＲＡ更新待ちモードにおいて）移動機１０から移動体通信網３０を介したＰＤＮ４０への送信データ（上りユーザデータ）がある場合（上り通信契機の場合）、以下のように当該送信データを中継する。移動機１０において上りユーザデータが発生すると、移動機１０は、中継部２２によって維持されているＰＤＮ接続を介して移動体通信網３０にＲＡメッセージの送信を要求する。即ち、移動機１０は、ＰＤＮ接続を介してＲＳメッセージをＰ−ＧＷ２０に送信する。メッセージ送信部２１は、ＰＤＮ接続を介して移動機１０からのＲＳメッセージを受信して、移動機１０にＲＡメッセージを送信する。
【００４９】
移動機１０は、ＲＡメッセージを受信し、受信されたＲＡメッセージに含まれる情報に基づいて上りユーザデータの送信を行う。即ち、移動機１０は、当該ＲＡメッセージによってデフォルトルータの有効期間を更新することでＰＤＮ４０へのデータの送信に可能にして、ユーザデータをＰＤＮ４０に送信する。中継部２２は、送信されたユーザデータを受信してＰＤＮ４０に送信する。即ち、中継部２２は、メッセージ送信部２１によるＲＡメッセージの送信に応じて送信データの中継を行う。
【００５０】
デフォルトルータの有効期間の経過以降に（即ち、次回通信契機のＲＡ更新待ちモードにおいて）ＰＤＮ４０から移動体通信網３０を介した移動機１０への送信データ（下りユーザデータ）がある場合（下り通信契機の場合）、以下のように当該送信データを中継する。この場合、中継部２２は、ＰＤＮ４０から下りユーザデータを受信する。メッセージ送信部２１は、当該下りユーザデータの受信を検出して、中継部２２によって維持されているＰＤＮ接続を介して移動機１０にＲＡメッセージを送信する。
【００５１】
移動機１０は、ＲＡメッセージを受信し、受信されたＲＡメッセージに含まれる情報に基づいて下りユーザデータの送信を行う。即ち、移動機１０は、当該ＲＡメッセージによってデフォルトルータの有効期間を更新することでＰＤＮ４０からのデータの受信を可能にする。中継部２２は、ＰＤＮ４０から受信したユーザデータを移動機１０に送信する。即ち、中継部２２は、メッセージ送信部２１によるＲＡメッセージの送信に応じて送信データの中継を行う。以上が、本実施形態に係るＰ−ＧＷ２０の機能である。
【００５２】
なお、移動体通信網におけるＰ−ＧＷ全てが、本実施形態に係るＰ−ＧＷ２０の上述した機能を有していないことが考えられる。そこで、Ｐ−ＧＷは、移動機１０から、ＲＡ削減要求を受け付けた際に自ノードがそれに対して対応できるか（即ち、ＲＡメッセージの削減可否）を判断してもよい。Ｐ−ＧＷが、ＲＡ削減要求に対して対応できる場合、即ち、Ｐ−ＧＷが本実施形態に係るＰ−ＧＷ２０である場合、ＲＡ削減要求に対して肯定の応答をすると共に上述したＲＡ削減を行う。Ｐ−ＧＷが、ＲＡ削減要求に対して対応できない場合、即ち、Ｐ−ＧＷが本実施形態に係るＰ−ＧＷ２０でない場合、ＲＡ削減要求に対して否定の応答をすると共に上述したＲＡ削減を行わない。この場合、Ｐ−ＧＷは、定期的なＲＡメッセージの送信を行い、移動機１０側も従来と同様に定期的なＲＡメッセージに応じた処理を行う。上記の肯定又は否定の応答は、例えば、ＰＤＮ接続要求応答に含められる。具体的には、ＧＴＰｖ２＿Ｃｒｅａｔｅ  Ｓｅｓｓｉｏｎ  ＲｅｓｐｏｎｓｅのＰＣＯ（Protocol  Configuration  Options）に肯定又は否定の応答を示す情報が含められる。移動機１０は、当該情報を保持しておく。
【００５３】
このように移動機１０とＰ−ＧＷ２０との間でＲＡメッセージ削減のネゴシエーションが行われてもよい。ネゴシエーションが成功した場合、即ち、上記の肯定の応答がされた場合には、移動機１０とＰ−ＧＷ２０とは上述した本実施形態に係る機能を実行し、ネゴシエーションが失敗した場合、即ち、上記の否定の応答がされた場合には、移動機１０とＰ−ＧＷ２０とは従来と同様に定期的なＲＡメッセージの送受信及びそれに応じた機能を実行する。
【００５４】
引き続いて、図２〜図５のシーケンス図を用いて、本実施形態に係る移動機１０及びＰ−ＧＷ２０で実行される処理（移動機１０及びＰ−ＧＷ２０が行う動作方法）である通信制御方法を説明する。まず、図２のシーケンス図を用いてＰＤＮ接続が行われる際の処理を説明する。
【００５５】
移動機１０では、移動機側制御部１３によって、移動体通信網３０に対してＲＡメッセージの送信中止が要求される。また、通信部１２によって、ベアラを含むＰＤＮ接続の確立の処理が行われる。具体的には、移動機１０からＰ−ＧＷ２０に送信されるＰＤＮ接続要求にＲＡ削減要求が含められる（Ｓ０１、通信ステップ、移動機側制御ステップ）。Ｐ−ＧＷ２０では、中継ノード側制御部２３によって、移動機１０から移動体通信網３０に対するＲＡメッセージの送信中止の要求を受け付けられる。また、中継部２２によって、ベアラを含むＰＤＮ接続の確立の処理が行われる。具体的には、移動機１０からＰ−ＧＷ２０に送信された、ＲＡ削減要求を含むＰＤＮ接続要求が受信される（Ｓ０１、中継ステップ、中継ノード側制御ステップ）。
【００５６】
続いて、Ｐ−ＧＷ２０では、ＲＡ削減要求に対して対応できるか否かが判断される（Ｓ０２）。本実施形態に係る機能を有しているＰ−ＧＷ２０では、ＲＡ削減要求に対して対応できる、即ち、ＲＡメッセージを削減すると判断される。この場合、Ｐ−ＧＷ２０では、移動機１０に対してＲＡ削減に対する肯定の応答が行われる。具体的には、Ｐ−ＧＷ２０から移動機１０に送信されるＰＤＮ接続要求応答にその旨が含められる（Ｓ０３）。
【００５７】
本実施形態に係る機能を有していないＰ−ＧＷでは、ＲＡ削減要求に対して対応できない、即ち、ＲＡメッセージを削減しないと判断される。この場合、Ｐ−ＧＷでは、移動機１０に対してＲＡ削減に対する否定の応答が行われる。具体的には、Ｐ−ＧＷから移動機１０に送信されるＰＤＮ接続要求応答にその旨が含められる（Ｓ０３）。
【００５８】
移動機１０では、ＰＤＮ接続要求応答が受信される。移動機１０では、ＰＤＮ接続要求応答に含まれる応答、即ち、ＲＡ削減可否を示す情報が保持される（Ｓ０４）。上記の肯定の応答がされた場合には、以下の処理が実行される。一方で、上記の否定の応答がされた場合には、従来と同様に定期的なＲＡメッセージの送受信及びそれに応じた処理が実行される（この場合のこれ以降の図示及び説明を省略する）。
【００５９】
続いて、Ｐ−ＧＷ２０では、メッセージ送信部２１によって、移動機１０に対してＲＡメッセージが送信される（Ｓ０５、メッセージ送信ステップ）。ＲＡメッセージが送信された移動機１０では、メッセージ受信部１１によってＲＡメッセージが受信される（Ｓ０５、メッセージ受信ステップ）。続いて、通信部１２によって、ＲＡメッセージに応じた処理が行われる。具体的には、ＩＰｖ６アドレス及びデフォルトルータの設定等である。これらの処理によって、移動機１０に係る、ベアラを含むＰＤＮ接続が確立される。また、移動機１０では、設定されたＩＰｖ６アドレス及びデフォルトルータ等に基づくＰＤＮとの間の通信が可能になる。以上が、ＰＤＮ接続が行われる際の処理である。
【００６０】
続いて、図３のシーケンス図を用いてＰＤＮ接続が行われてから時間が経過した際の処理を説明する。Ｐ−ＧＷ２０において、ＲＡメッセージの送信から、ＲＡメッセージの定期送信間隔の時間が経過すると（Ｓ１１）、中継ノード側制御部２３による制御が行われる（Ｓ１２、中継ノード側制御ステップ）。具体的には、中継ノード側制御部２３によって、メッセージ送信部２１に対して移動機１０へのＲＡメッセージの送信を中止する制御が行われる。この制御によって、Ｐ−ＧＷ２０から移動機１０にＲＡメッセージが送信されない。また、中継ノード側制御部２３によって、中継部２２に対してデフォルトルータの有効期間の経過以降にＰＤＮ接続の解放を禁止する制御が行われる。この制御によって、デフォルトルータの有効期間の経過以降もＰ−ＧＷ２０は移動機１０との間で信号の送受信を行うことができる。なお、中継ノード側制御部２３による制御のタイミングは、必ずしも上記のタイミングである必要はなく、上記の制御が行われ得るタイミングであればよい。続いて、Ｐ−ＧＷ２０は、次回通信契機のＲＡ更新待ちモードに遷移する（Ｓ１３）。
【００６１】
移動機１０において、ＲＡメッセージの受信から、デフォルトルータの有効期間が経過すると（Ｓ２１）、移動機側制御部１３による制御が行われる（Ｓ２２、移動機側制御ステップ）。具体的には、移動機側制御部１３によって、メッセージ受信部１１に対してＲＳメッセージの送信を中止する制御が行われる。この制御によって、移動機１０からＰ−ＧＷ２０にＲＳメッセージが送信されない。移動機１０からＰ−ＧＷ２０にＲＳメッセージが送信されないため、ＲＳメッセージの送信に応じたＰ−ＧＷ２０から移動機１０へのＲＡメッセージの送信も行われない。また、移動機側制御部１３によって、通信部１２に対してデフォルトルータの有効期間の経過以降にＰＤＮ接続の解放を禁止する制御が行われる。この制御によって、デフォルトルータの有効期間の経過以降も移動機１０はＰ−ＧＷ２０との間で信号の送受信を行うことができる。なお、移動機側制御部１３による制御のタイミングは、必ずしも上記のタイミングである必要はなく、上記の制御が行われ得るタイミングであればよい。続いて、移動機１０は、次回通信契機のＲＡ更新待ちモードに遷移する（Ｓ２３）。デフォルトルータの有効期間の経過後は、移動機１０とＰＤＮ４０との間のデータの送受信は行えなくなる。以上が、ＰＤＮ接続が行われてから時間が経過した際の処理である。
【００６２】
続いて、図４のシーケンス図を用いて、移動機１０及びＰ−ＧＷ２０が次回通信契機のＲＡ更新待ちモードに遷移した後、移動機１０からＰＤＮ４０にデータが送信される際の処理である。移動機１０において上りユーザデータが発生すると、メッセージ受信部１１によって、上りユーザデータの発生が検出される（Ｓ３１）。続いて、通信部１２によって維持されているＰＤＮ接続を介して、メッセージ受信部１１によってＲＳメッセージがＰ−ＧＷ２０に送信される（Ｓ３２、メッセージ受信ステップ）。Ｐ−ＧＷ２０では、メッセージ送信部２１によってＲＳメッセージが受信される（Ｓ３２、メッセージ送信ステップ）。なお、ＲＳメッセージの送信の前に移動機１０は移動体通信網３０との間で無線接続の確立、具体的には、ＵＥ起動Ｓｅｒｖｉｃｅ  Ｒｅｑｕｅｓｔの処理を行う。
【００６３】
続いて、メッセージ送信部２１によってＲＡメッセージが移動機１０に送信される（Ｓ３３、メッセージ送信ステップ）。移動機１０では、メッセージ受信部１１によって、ＲＡメッセージが受信される（Ｓ３３、メッセージ受信ステップ）。続いて、通信部１２によって、ＲＡメッセージに応じた処理が行われる（Ｓ３４）。具体的には、デフォルトルータの有効期間の更新である。この処理によって、移動機１０とＰＤＮ４０との間のデータの送受信が可能になる。続いて、通信部１２によって、上りユーザデータがＰ−ＧＷ２０に送信される（Ｓ３５、通信ステップ）。Ｐ−ＧＷ２０では、中継部２２によって、上りユーザデータがＰＤＮ４０に中継される（Ｓ３５、中継ステップ）。以上が、移動機１０からＰＤＮ４０にデータが送信される際の処理である。
【００６４】
続いて、図５のシーケンス図を用いて、移動機１０及びＰ−ＧＷ２０が次回通信契機のＲＡ更新待ちモードに遷移した後、ＰＤＮ４０から移動機１０にデータが送信される際の処理である。ＰＤＮ４０から下りユーザデータが送信されると、Ｐ−ＧＷ２０では、中継部２２によって下りユーザデータを受信する（Ｓ４１、中継ステップ）。続いて、中継部２２によって維持されているＰＤＮ接続を介して、メッセージ送信部２１によってＲＡメッセージが移動機１０に送信される（Ｓ４２、メッセージ送信ステップ）。なお、ＲＡメッセージの送信の前に移動機１０は移動体通信網３０との間で無線接続の確立、具体的には、ＮＷ起動Ｓｅｒｖｉｃｅ  Ｒｅｑｕｅｓｔの処理を行う。移動機１０では、メッセージ受信部１１によって、ＲＡメッセージが受信される（Ｓ４２、メッセージ受信ステップ）。続いて、通信部１２によって、ＲＡメッセージに応じた処理が行われる（Ｓ４３）。具体的には、デフォルトルータの有効期間の更新である。この処理によって、移動機１０とＰＤＮ４０との間のデータの送受信が可能になる。
【００６５】
続いて、Ｐ−ＧＷ２０では、中継部２２によって、下りユーザデータが移動機１０に送信される（Ｓ４５、中継ステップ）。移動機１０では、通信部１２によって、下りユーザデータが受信される（Ｓ４５、通信ステップ）。以上が、ＰＤＮ４０から移動機１０にデータが送信される際の処理である。
【００６６】
本実施形態によれば、定期的なＲＡメッセージの送受信を行うことなく移動機１０に係る通信、具体的には、移動機１０とＰＤＮ４０との間の通信を行うことができる。また、ＲＡメッセージ自体を従来から変えることなく（例えば、ＲＡメッセージに設定されるデフォルトルータの有効期間の枠組みを変えることなく）上記を実現することができる。従って、本実施形態によれば、移動機１０の通信に必要な定期的な情報の送受信を削減して移動機１０の電力の消費を低減することができる。これによって、超低消費電力化が必要なＩｏＴ用途でのＩＰｖ６利用が増える効果をもたらすことができる。
【００６７】
上述した実施形態では、ＲＡメッセージの送信中止の要求は一律に予め設定されたタイミングで行われることとしたが、以下のような構成を取ることとしてもよい。移動機側制御部１３は、通信部１２による通信状況に応じて、移動体通信網３０に対してＲＡメッセージの送信中止を要求することとしてもよい。この場合、移動機側制御部１３は、ＰＤＮ確立時にはＲＡ削減要求を送信しない。移動機側制御部１３は、通信部１２による通信状況として、例えば、ＰＤＮ確立後のユーザデータ通信の利用状況を監視する。利用状況の例としては、単位時間あたりのデータ通信量、又は単位時間あたりの無線接続確立回数等である。移動機側制御部１３は、通信部１２による通信状況がＲＡメッセージの定期的な送受信が必要ない程小さい場合に、ＲＡ削減要求を送信する。例えば、移動機側制御部１３は、利用状況を示す値が、予め設定された一定の基準値以下である場合、ＲＡ削減要求を送信する。この構成によれば、移動機１０の電力の消費を更に適切に低減することができる。
【００６８】
なお、本実施形態では、削減対象のメッセージはＲＡメッセージであったが、同様の枠組みのメッセージであればＲＡメッセージ以外を削減対象としてもよい。また、本実施形態では、本実施形態に係る中継ノードは、Ｐ−ＧＷ２０であることとしたが、同様の枠組みの中継ノードであれば、Ｐ−ＧＷ２０以外を本発明に係る中継ノードとしてもよい。
【００６９】
また、本実施形態では、４Ｇ  ＬＴＥを例として説明したが、２Ｇ／３Ｇ又は５Ｇであってもよい。２Ｇ／３Ｇの場合、本実施形態におけるＭＭＥ及びＳ−ＧＷはＳＧＳＮ（Serving  GPRS  Support  Node）に、本実施形態におけるＰ−ＧＷ２０はＧＧＳＮ（Gateway GPRSSupport Node）に、ｅＮｏｄｅＢは、ＲＮＣ（Radio  Network  Controller）にそれぞれ読み替えればよい。５Ｇの場合、本実施形態におけるＭＭＥはＡＭＦ（Access  and  Mobility  management  Function）に、本実施形態におけるＳ−ＧＷはＵＰＦ（User Plane. Function）に、本実施形態におけるＰ−ＧＷ２０はＳＭＦ（Session  Management  Function）に、ｅＮｏｄｅＢは、ｇＮｏｄｅＢにそれぞれ読み替えればよい。なお、５Ｇの場合、ＰＤＮ確立時の信号は、ＡＭＦとＳＭＦとの間で直接信号が送受信されてもよい。
【００７０】
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００７１】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００７２】
例えば、本開示の一実施の形態における移動機１０及びＰ−ＧＷ２０は、本開示の方法の処理を行うコンピュータとして機能してもよい。図６は、本開示の一実施の形態に係る移動機１０及びＰ−ＧＷ２０のハードウェア構成の一例を示す図である。上述の移動機１０及びＰ−ＧＷ２０は、物理的には、プロセッサ１００１、メモリ１００２、ストレージ１００３、通信装置１００４、入力装置１００５、出力装置１００６、バス１００７などを含むコンピュータ装置として構成されてもよい。
【００７３】
なお、以下の説明では、「装置」という文言は、回路、デバイス、ユニットなどに読み替えることができる。移動機１０及びＰ−ＧＷ２０のハードウェア構成は、図に示した各装置を１つ又は複数含むように構成されてもよいし、一部の装置を含まずに構成されてもよい。
【００７４】
移動機１０及びＰ−ＧＷ２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【００７５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の移動機１０及びＰ−ＧＷ２０における各機能は、プロセッサ１００１によって実現されてもよい。
【００７６】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、移動機１０及びＰ−ＧＷ２０における各機能は、メモリ１００２に格納され、プロセッサ１００１において動作する制御プログラムによって実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【００７７】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る方法を実施するために実行可能なプログラム（プログラムコード）、ソフトウェアモジュールなどを保存することができる。
【００７８】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【００７９】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の移動機１０及びＰ−ＧＷ２０における各機能は、通信装置１００４によって実現されてもよい。
【００８０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００８１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【００８２】
また、移動機１０及びＰ−ＧＷ２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００８３】
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【００８４】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００８５】
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【００８６】
情報等は、上位レイヤ（又は下位レイヤ）から下位レイヤ（又は上位レイヤ）へ出力され得る。複数のネットワークノードを介して入出力されてもよい。
【００８７】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００８８】
判定は、１ビットで表される値（０か１か）によって行われてもよいし、真偽値（Boolean：true又はfalse）によって行われてもよいし、数値の比較（例えば、所定の値との比較）によって行われてもよい。
【００８９】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００９０】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【００９１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００９２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【００９３】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００９４】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【００９５】
本開示において使用する「システム」及び「ネットワーク」という用語は、互換的に使用される。
【００９６】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【００９７】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【００９８】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【００９９】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１００】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１０１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１０２】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１０３】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。同様に、本開示におけるユーザ端末は、基地局で読み替えてもよい。
【０１０４】
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１０５】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１０６】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０７】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１０８】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１０９】
本開示において、例えば、英語でのa,  an及びtheのように、翻訳により冠詞が追加された場合、本開示は、これらの冠詞の後に続く名詞が複数形であることを含んでもよい。
【０１１０】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【符号の説明】
【０１１１】
１０…移動機、１１…メッセージ受信部、１２…通信部、１３…移動機側制御部、２０…Ｐ−ＧＷ、２１…メッセージ送信部、２２…中継部、２３…中継ノード側制御部、３０…移動体通信網、４０…ＰＤＮ、１００１…プロセッサ、１００２…メモリ、１００３…ストレージ、１００４…通信装置、１００５…入力装置、１００６…出力装置、１００７…バス。
【図１】
2020136797.tif 000003
【図２】
2020136797.tif 000004
【図３】
2020136797.tif 000005
【図４】
2020136797.tif 000006
【図５】
2020136797.tif 000007
【図６】
2020136797.tif 000008